(57)【特許請求の範囲】
【請求項１】
通信規格が異なる複数種類の網が混在する無線通信ネットワークの各網における移動端末機が在圏している基地局エリアを一意に特定するための識別子である在圏情報と、移動端末機を所持するユーザーを一意に特定するための識別子である加入者情報とを対応付けて登録する在圏情報記憶部と、
前記在圏情報記憶部に登録されている加入者情報と、その加入者情報から特定することのできるユーザー毎に管理される各網に対する重み付け情報とを対応付けて登録するユーザー毎重み付け情報記憶部と、
前記在圏情報記憶部に登録されている在圏情報と、その在圏情報から特定することのできる基地局エリア毎に管理される各網に対する重み付け情報とを対応付けて登録する基地局エリア毎重み付け情報記憶部と、
前記ユーザー毎重み付け情報記憶部に登録されているユーザー毎に管理される各網に対する重み付け情報と、前記基地局エリア毎重み付け情報記憶部に登録されている基地局エリア毎に管理される各網に対する重み付け情報とのうちの少なくとも一方の重み付け情報を含む情報に基づいて、実際に基地局測位要求を送信する網である測位要求送信先網を決定する基地局測位要求先決定部と
を備えることを特徴とする基地局測位要求先決定装置。
【請求項２】
前記ユーザー毎重み付け情報記憶部に登録されているユーザー毎の重み付け情報と、前記基地局エリア毎重み付け情報記憶部に登録されている基地局エリア毎に管理される各網に対する重み付け情報とを更新するために新たな各重み付け情報を算出する更新重み付け情報算出部を備えることを特徴とする請求項１に記載の基地局測位要求先決定装置。
【請求項３】
前記更新重み付け情報算出部は、
前記ユーザー毎重み付け情報記憶部に登録されているユーザー毎の重み付け情報のうち、
基地局測位処理が成功した網に対する重み付け情報が現在の値よりも高くなるように新たな重み付け情報を算出すると共に、基地局測位処理が成功した網以外の網に対する重み付け情報が現在の値よりも低くなるように新たな重み付け情報を算出することを特徴とする請求項２に記載の基地局測位要求先決定装置。
【請求項４】
前記更新重み付け情報算出部は、
前記基地局エリア毎重み付け情報記憶部に登録されている基地局エリア毎に管理される各網に対する重み付け情報のうち、
基地局測位処理が成功した網に対する重み付け情報が現在の値よりも高くなるように新たな重み付け情報を算出することを特徴とする請求項２又は３に記載の基地局測位要求先決定装置。
【請求項５】
前記更新重み付け情報算出部は、
前記基地局エリア毎重み付け情報記憶部に登録されている基地局エリア毎に管理される各網に対する重み付け情報のうち、
基地局測位処理が成功した網以外に基地局測位を要求した網に対する重み付け情報が現在の値よりも低くなるように新たな重み付け情報を算出することを特徴とする請求項２〜４のいずれか１項に記載の基地局測位要求先決定装置。
【請求項６】
前記基地局測位要求先決定部は、
前記在圏情報記憶部に登録されている一加入者情報と対応付けて登録されている在圏情報が１つである場合には、前記測位要求送信先網をその在圏情報により特定される網に決定し、
前記在圏情報記憶部に登録されている一加入者情報と対応付けて登録されている在圏情報が複数である場合には、前記ユーザー毎重み付け情報記憶部に登録されているユーザー毎に管理される各網に対する重み付け情報と、前記基地局エリア毎重み付け情報記憶部に登録されている基地局エリア毎に管理される各網に対する重み付け情報とのうちの少なくとも一方の重み付け情報を含む情報に基づいて、前記測位要求送信先網を決定することを特徴とする請求項１〜５のいずれか１項に記載の基地局測位要求先決定装置。
【請求項７】
前記ユーザー毎重み付け情報記憶部に登録されているユーザー毎に管理される各網に対する重み付け情報と、前記基地局エリア毎重み付け情報記憶部に登録されている基地局エリア毎に管理される各網に対する重み付け情報との積である、各網に対する総合重み付け情報を算出する総合重み付け情報算出部をさらに備え、
前記基地局測位要求先決定部は、
前記総合重み付け情報算出部により算出された各網に対する総合重み付け情報に基づいて、前記測位要求送信先網を決定することを特徴とする請求項１〜６のいずれか１項に記載の基地局測位要求先決定装置。
【発明の詳細な説明】
【技術分野】
【０００１】
本発明は、基地局測位要求先決定装置に関し、特に通信規格が異なる複数種類の網が混在する無線通信ネットワークにおいて測位要求を送信する先の網を決定する基地局測位要求先決定装置に関する。
【背景技術】
【０００２】
近年、下記に示す非特許文献１の仕様書で規定されているＬＴＥ(Ｌｏｎｇ  Ｔｅｒｍ  Ｅｖｏｌｕｔｉｏｎ)の通信ネットワークサービスが提供され始めた。このため、図１３に示すように、無線通信ネットワークシステム１００には、従来から提供されている３Ｇ（３ｒｄ  Ｇｅｎｅｒａｔｉｏｎ）網１２０とＬＴＥ網１３０とが混在している。
このため、ユーザーが所持する移動端末機であるＭＴ１５０は、ユーザーの設定により、３Ｇ網１２０とＬＴＥ網１３０との間で、無線システムを切り替えることができるようになっている。しかしながら、３Ｇ網１２０とＬＴＥ網１３０とで無線システムを切り替える度に位置登録要求処理を行うと、網側では多くの位置登録信号による要求処理を行わなければならない。
【０００３】
このため、ＬＴＥにおいては、位置登録信号による要求処理をなるべく削減することができるように、位置登録省略（ＩＳＲ；Ｉｄｌｅ  ｍｏｄｅ  Ｓｉｇｎａｌｉｎｇ  Ｒｅｄｕｃａｔｉｏｎ)機能が規定されている。このＩＳＲ機能とは、ＭＴ１５０が、３Ｇ網１２０とＬＴＥ網１３０との間で無線システムを切り替えた場合であっても、以前登録した基地局エリアから変更が無い限り、位置登録処理を行わないようにするものである。
【０００４】
一方、ＩＰサービス制御装置 （ＩＰＳＣＰ；ＩＰ  Ｓｅｒｖｉｃｅ  Ｃｏｎｔｒｏｌ  Ｐｏｉｎｔ）１４３側では、上記のＭＴ１５０側におけるＩＳＲ機能が有効状態になっていることより、ＭＴ１５０が３Ｇ網１２０側の通信ネットワークに在圏しているか、ＭＴ１５０がＬＴＥ網１３０側の通信ネットワークに在圏しているかを判断することができない。つまり、ＧＭＬＣ（ＥＢＳＣＰ）１４２等の上位ノードでは、ＭＴ１５０がどちらの通信ネットワークに在圏しているかを特定することができない。
【０００５】
このため、無線通信ネットワークシステム１００においては、下記に示すと共に、図１３中に矢印で示すような手順で基地局測位処理を行っている。
（その１）まず、ＬＣＳ  Ｃｌｉｅｎｔ１４１は、ＧＭＬＣ（ＥＢＳＣＰ）１４２に対して基地局測位要求を行う。
（その２）ＧＭＬＣ（ＥＢＳＣＰ）１４２は、ＩＰＳＣＰ１４３から在圏情報を取得する。
（その３）ここで、ＭＴ１５０側でＩＳＲ機能が有効状態である場合、ＩＰＳＣＰ１４３に３Ｇ網１２０とＬＴＥ網１３０との両方の在圏情報が登録されている可能性が高い。このため、ＧＭＬＣ（ＥＢＳＣＰ）１４２は、３Ｇ網１２０の在圏情報と、ＬＴＥ網１３０の在圏情報との両方の在圏情報を取得することができた場合がある。しかしながせ、このような場合には、ＧＭＬＣ（ＥＢＳＣＰ）１４２は、どちらの網に対して測位要求を行ってよいかを判断することができない。
【０００６】
そこで、現状では、ＧＭＬＣ（ＥＢＳＣＰ）１４２に優先スイッチング機能が設けられており、その優先スイッチング機能によって、優先的に測位要求を送信する先の網が事前に設定されている。例えば、優先スイッチング機能によって、優先的に測位要求を送信する先の網が３Ｇ網１２０に設定されている場合、ＧＭＬＣ（ＥＢＳＣＰ）１４２は、優先スイッチング機能によって、優先的に３Ｇ網１２０に対して基地局測位要求を送信するようになっている。
（その４）３Ｇ網１２０側のＮｏｄｅＢ１２１が、ＭＴ１５０の在圏状況を確認する。
（その５）ここで、３Ｇ網１２０に対して基地局測位要求を送信しても、測位エラーや無応答であった場合には、ＧＭＬＣ（ＥＢＳＣＰ）１４２は、ＬＴＥ網１３０に対して基地局測位要求を再送信する。
（その６）ＬＴＥ網１３０のｅＮｏｄｅＢ１３１が、ＭＴ１５０の在圏状況を確認する。
【先行技術文献】
【非特許文献】
【０００７】
【非特許文献１】３ＧＰＰ（Ｔｈｅ  ３ｒｄ  Ｇｅｎｅｒａｔｉｏｎ  Ｐａｒｔｎｅｒｓｈｉｐ  Ｐｒｏｊｅｃｔ）  ＴＳ  ３６．３００  Ｒｅｌ−１１
【発明の概要】
【発明が解決しようとする課題】
【０００８】
しかしながら、上記で説明したような基地局測位処理の手順では、例えば３Ｇ網１２０に対して優先的に基地局測位要求を送信した後で、ＬＴＥ網１３０に対しても基地局測位要求を再送信するといった二重処理を行う場合がある。このため、処理速度が最優先される基地局測位処理であるにも関わらず、在圏していない網に対しても基地局測位要求を送信する分だけ、基地局測位処理に余計な処理時間が必要になる場合があった。
【０００９】
また、各網を構成する装置が無応答になったりすると、処理がタイムアウトするまで待機状態となってしまう。この場合にも、基地局測位処理に余計な処理時間が必要になる場合があった。
さらに、在圏していない網を構成する各装置間で余計な信号が送受信される分だけ、各装置における処理負荷が増える場合があった。
【００１０】
また、ＮｏｄｅＢ１２１とｅＮｏｄｅＢ１３１とが連携し合って、自網に在圏していなければ他網に対して在圏状況を直接問い合わせるようにすることで、在圏している網を特定することも可能である。しかしながら、ローミングアウトした時のことを考えると、ローミングアウト先の装置にも、上記のような仕組みが取り入れられている必要がある。これを実現することは、現実的に困難である。
そこで、本発明は、上記の課題に鑑み、通信規格が異なる複数種類の網が混在する無線通信ネットワークにおいて、測位要求を送信する先の網を、ユーザーが最も在圏している可能性の高い網に決定することのできる基地局測位要求先決定装置を提供することを目的とする。
【課題を解決するための手段】
【００１１】
本発明による基地局測位要求先決定装置は、上記の目的を達成するために、次のように構成される。
本発明のある態様による基地局測位要求先決定装置は、通信規格が異なる複数種類の網が混在する無線通信ネットワークの各網における移動端末機が在圏している基地局エリアを一意に特定するための識別子である在圏情報と、移動端末機を所持するユーザーを一意に特定するための識別子である加入者情報とを対応付けて登録する在圏情報記憶部と、前記在圏情報記憶部に登録されている加入者情報と、その加入者情報から特定することのできるユーザー毎に管理される各網に対する重み付け情報とを対応付けて登録するユーザー毎重み付け情報記憶部と、前記在圏情報記憶部に登録されている在圏情報と、その在圏情報から特定することのできる基地局エリア毎に管理される各網に対する重み付け情報とを対応付けて登録する基地局エリア毎重み付け情報記憶部と、前記ユーザー毎重み付け情報記憶部に登録されているユーザー毎に管理される各網に対する重み付け情報と、前記基地局エリア毎重み付け情報記憶部に登録されている基地局エリア毎に管理される各網に対する重み付け情報とのうちの少なくとも一方の重み付け情報を含む情報に基づいて、実際に基地局測位要求を送信する網である測位要求送信先網を決定する基地局測位要求先決定部とを備えることを特徴とする。
【００１２】
上記の基地局測位要求先決定装置によれば、ユーザー毎重み付け情報記憶部には、在圏情報記憶部に登録されている加入者情報と、その加入者情報から特定することのできるユーザー毎に管理される各網に対する重み付け情報とが対応付けて登録されている。また、基地局エリア毎重み付け情報記憶部には、在圏情報記憶部に登録されている在圏情報と、その在圏情報から特定することができる基地局エリア毎に管理される各網に対する重み付け情報とが対応付けて登録されている。
【００１３】
そして、上記の基地局測位要求先決定部が、ユーザー毎重み付け情報記憶部に登録されているユーザー毎に管理される各網に対する重み付け情報と、基地局エリア毎重み付け情報記憶部に登録されている基地局エリア毎に管理される各網に対する重み付け情報とのうちの少なくとも一方の重み付け情報を含む情報に基づいて、実際に基地局測位要求を送信する網である測位要求送信先網を決定することが可能となる。
【００１４】
つまり、ユーザー毎に管理される重み付け情報と、基地局エリア毎に管理される重み付け情報とのうちの少なくとも一方の重み付け情報を含む情報に基づいて、測位要求送信先網を、ユーザーが最も在圏している可能性の高い網に決定することが可能となる。
本発明のある態様による基地局測位要求先決定装置は、前記ユーザー毎重み付け情報記憶部に登録されているユーザー毎の重み付け情報と、前記基地局エリア毎重み付け情報記憶部に登録されている基地局エリア毎に管理される各網に対する重み付け情報とを更新するために新たな各重み付け情報を算出する更新重み付け情報算出部を備えることを特徴とする。
【００１５】
上記の基地局測位要求先決定装置によれば、更新重み付け情報算出部が、ユーザー毎重み付け情報記憶部に登録されているユーザー毎の重み付け情報、及び基地局エリア毎重み付け情報記憶部に登録されている基地局エリア毎に管理される各網に対する重み付け情報を、実際に測位要求を行った際の基地局測位結果や成功率等に基づいて更新する。
例えば、あるユーザーは移動範囲が少なかったり、ある基地局エリアでは３Ｇ側よりもＬＴＥ網の方に多くのユーザーが在圏していたりする場合がある。そこで、ユーザー毎に異なる移動パターンや、基地局エリア毎に異なるユーザーの通信状況等に応じて各網に対する重み付け情報を更新する。
【００１６】
これにより、基地局測位要求先決定部は、ユーザー毎に異なる移動パターンや、基地局エリア毎に異なるユーザーの通信状況等に応じて、測位要求送信先網をユーザーが最も在圏している可能性の高い網に決定することが可能となる。
本発明のある態様による基地局測位要求先決定装置は、前記更新重み付け情報算出部は、前記ユーザー毎重み付け情報記憶部に登録されているユーザー毎の重み付け情報のうち、基地局測位処理が成功した網に対する重み付け情報が現在の値よりも高くなるように新たな重み付け情報を算出すると共に、基地局測位処理が成功した網以外の網に対する重み付け情報が現在の値よりも低くなるように新たな重み付け情報を算出することを特徴とする。
【００１７】
上記の基地局測位要求先決定装置によれば、具体的な重み付け情報の更新方法として、更新重み付け情報算出部が、ユーザー毎重み付け情報記憶部に登録されているユーザー毎の重み付け情報のうち、基地局測位処理が成功した網に対する重み付け情報が現在の値よりも高くなるように算出すると共に、基地局測位処理が成功した網以外の網に対する重み付け情報が現在の値よりも低くなるように算出する。
これにより、基地局測位要求先決定部が、同じ在圏エリアにいるユーザーであっても、測位要求送信先網をユーザー毎に、そのユーザーが在圏している可能性が高い網に決定することが可能となる。
【００１８】
本発明のある態様による基地局測位要求先決定装置は、前記更新重み付け情報算出部は、前記基地局エリア毎重み付け情報記憶部に登録されている基地局エリア毎に管理される各網に対する重み付け情報のうち、基地局測位処理が成功した網に対する重み付け情報が現在の値よりも高くなるように新たな重み付け情報を算出することを特徴とする。
【００１９】
上記の基地局測位要求先決定装置によれば、具体的な重み付け情報の更新方法として、更新重み付け情報算出部は、基地局エリア毎重み付け情報記憶部に登録されている基地局エリア毎に管理される各網に対する重み付け情報のうち、基地局測位処理が成功した網に対する重み付け情報が現在の値よりも高くなるように算出する。
これにより、基地局測位要求先決定部が、同じユーザーであっても、測位要求送信先網を基地局エリア毎に、そのユーザーが在圏している可能性が高い網に決定することが可能となる。
【００２０】
本発明のある態様による基地局測位要求先決定装置は、前記更新重み付け情報算出部は、前記基地局エリア毎重み付け情報記憶部に登録されている基地局エリア毎に管理される各網に対する重み付け情報のうち、基地局測位処理が成功した網以外に基地局測位を要求した網に対する重み付け情報が現在の値よりも低くなるように新たな重み付け情報を算出することを特徴とする。
【００２１】
上記の基地局測位要求先決定装置によれば、更新重み付け情報算出部が、基地局エリア毎重み付け情報記憶部に登録されている基地局エリア毎に管理される各網に対する重み付け情報のうち、基地局測位処理が成功した網以外の網に対する重み付け情報が現在の値よりも低くなるように算出する。
これにより、基地局測位要求先決定部が、同じユーザーであっても、測位要求送信先網を基地局エリア毎に、そのユーザーが在圏している可能性が低い網に決定しないようにすることが可能となる。
【００２２】
本発明のある態様による基地局測位要求先決定装置は、前記基地局測位要求先決定部は、前記在圏情報記憶部に登録されている一加入者情報と対応付けて登録されている在圏情報が１つである場合には、前記測位要求送信先網をその在圏情報により特定される網に決定し、前記在圏情報記憶部に登録されている一加入者情報と対応付けて登録されている在圏情報が複数である場合には、前記ユーザー毎重み付け情報記憶部に登録されているユーザー毎に管理される各網に対する重み付け情報と、前記基地局エリア毎重み付け情報記憶部に登録されている基地局エリア毎に管理される各網に対する重み付け情報とのうちの少なくとも一方の重み付け情報を含む情報に基づいて、前記測位要求送信先網を決定することを特徴とする。
【００２３】
上記の基地局測位要求先決定装置によれば、移動端末機側でＩＳＲ機能の機能状態が無効状態に設定されていることにより、例えば３Ｇ網の在圏情報とＬＴＥ網の在圏情報との２つの網の在圏情報のうち、３Ｇ網の在圏情報が取得された場合には、基地局測位要求先決定部が、測位要求送信先網を３Ｇ網に決定する。
一方、移動端末機側でＩＳＲ機能の機能状態が有効状態になっていることにより、例えば３Ｇ網とＬＴＥ網との両方の在圏情報が得られた場合であっても、基地局測位要求先決定部が、測位要求送信先網を、ユーザーが最も在圏している可能性の高い網に決定することが可能となる。
【００２４】
本発明のある態様による基地局測位要求先決定装置は、前記ユーザー毎重み付け情報記憶部に登録されているユーザー毎に管理される各網に対する重み付け情報と、前記基地局エリア毎重み付け情報記憶部に登録されている基地局エリア毎に管理される各網に対する重み付け情報との積である、各網に対する総合重み付け情報を算出する総合重み付け情報算出部をさらに備え、前記基地局測位要求先決定部は、前記総合重み付け情報算出部により算出された各網に対する総合重み付け情報に基づいて、前記測位要求送信先網を決定することを特徴とする。
【００２５】
上記の基地局測位要求先決定装置によれば、総合重み付け情報算出部が、各網に対する総合重み付け情報を算出する。この総合重み付け情報は、例えば、上記で説明したユーザー毎に管理される各網に対する重み付け情報と、基地局エリア毎に管理される各網に対する重み付け情報とを乗算した積であったり、少なくとも一方の重み付け情報に別の情報を組み合わせて算出した値であったりする。これにより、基地局測位要求先決定部は、単に重み付け情報だけで測位要求送信先網を決定するよりも、測位要求送信先網をよりユーザーが在圏している可能性が高い網に決定することが可能となる。
【発明の効果】
【００２６】
本発明によれば、基地局測位要求先決定部が、測位要求送信先網を予め設定されている優先網に決定するのではなく、ユーザー毎や基地局エリア毎の通信規格が異なる複数種類の網に対する重み付け情報に基づいて測位要求送信先網を決定する。
これにより、ユーザーが最も在圏している可能性の高い網に対して測位要求を送信することができるようになる。それ故に、測位要求送信先網をそのまま優先網に決定した場合と比較して、通信規格が異なる複数種類の網に対して測位要求を送信することが少なくなる。在圏していない網に対しても測位要求を送信しない分だけ、基地局測位処理に必要な処理時間を短縮することができる。さらに、在圏していない網を構成する各装置間で余計な信号を送受信しない分だけ、各装置における基地局測位処理の処理負荷を抑えることができる。
また、複数網の装置が連携し合って、自網に在圏していない場合、他網に対して在圏状況を直接問い合わせるような仕組みを用いる必要がない。
【図面の簡単な説明】
【００２７】
【図１】基地局測位要求先決定装置６０，８０を用いて構成される無線通信ネットワークシステム１０のシステム構成を示すシステム構成図である。
【図２】ＩＰＳＣＰ４３の機能構成を示すブロック図である。
【図３】在圏情報テーブル７２Ｔに登録されているデータ例を示す表である。
【図４】３Ｇ／ＬＴＥ網共用テーブル７３Ｔａに登録されているデータ例を示す表である。
【図５】３Ｇ網用テーブル７３Ｔｂに登録されているデータ例を示す表である。
【図６】ＬＴＥ網用テーブル７３Ｔｃに登録されているデータ例を示す表である。
【図７】ＧＭＬＣ（ＥＢＳＣＰ）４２の機能構成を示すブロック図である。
【図８】基地局測位要求先決定装置６０，８０を用いて構成された無線通信ネットワークシステム１０における基地局測位要求処理の全体の処理の流れを示すシーケンス図である。
【図９】基地局測位要求先決定装置６０，８０を用いて構成された無線通信ネットワークシステム１０における基地局測位要求処理の全体の処理の流れを示すシーケンス図である。
【図１０】基地局測位要求先決定装置６０，８０を用いて構成された無線通信ネットワークシステム１０における基地局測位要求処理の全体の処理の流れを示すシーケンス図である。
【図１１】ＧＭＬＣ（ＥＢＳＣＰ）４２が行う基地局測位要求先決定処理の流れを示すフローチャートである。
【図１２】ＧＭＬＣ（ＥＢＳＣＰ）４２が行う重み付け情報更新処理の流れを示すフローチャートである。
【図１３】一般的な無線通信ネットワークシステム１００のシステム構成を示す模式図である。
【発明を実施するための形態】
【００２８】
以下、添付図面を参照しながら、本発明の基地局測位要求先決定装置の好適な実施形態を詳細に説明する。
（無線通信ネットワークシステム１０のシステム構成）
最初に、図１を参照して、本発明の基地局測位要求先決定装置６０，８０を用いて構成される無線通信ネットワークシステム１０の全体のシステム構成を説明する。
図１は、基地局測位要求先決定装置６０，８０を用いて構成される無線通信ネットワークシステム１０のシステム構成を示すシステム構成図である。図１に示す無線通信ネットワークシステム１０は、３Ｇ網１２０を構成するネットワーク装置と、ＬＴＥ網１３０を構成するネットワーク装置とを備えて構成される。この他、無線通信ネットワークシステム１０は、３Ｇ網１２０とＬＴＥ網１３０とで共通のネットワーク装置と、ユーザーが所持している移動端末機であるＭＴ（Ｍｏｂｉｌｅ  Ｔｅｒｍｉｎａｌ）１５０とを備える。このＭＴ１５０は、ユーザーの設定により、３Ｇ網１２０とＬＴＥ網１３０との間で、無線システムを切り替えることができるようになっている。
【００２９】
まず、３Ｇ網１２０を構成するネットワーク装置として、ＮｏｄｅＢ１２１と、ＲＮＣ（Ｒａｄｉｏ  Ｎｅｔｗｏｒｋ  Ｃｏｎｔｒｏｌｌｅｒ）１２２と、ｘＧＳＮ（ｓｅｒｖｉｎｇ／ｇａｔｅｗａｙ  Ｇｅｎｅｒａｌ  ｐａｃｋｅｔ  ｒａｄｉｏ  ｓｅｒｖｉｃｅ  Ｓｕｐｐｏｒｔ  Ｎｏｄｅ）１２３とがある。
ＮｏｄｅＢ１２１は、３Ｇ網１２０側のネットワーク基地局であり、ＭＴ１５０と無線によって接続される。
ＲＮＣ１２２は、複数のネットワークを統括して制御する基地局無線ネットワーク制御局である。
【００３０】
ｘＧＳＮ１２３は、ＳＧＳＮ（Ｓｅｒｖｉｎｇ  Ｇｅｎｅｒａｌ  ｐａｃｋｅｔ  ｒａｄｉｏ  ｓｅｒｖｉｃｅ  Ｓｕｐｐｏｒｔ  Ｎｏｄｅ）とＧＧＳＮ（Ｇａｔｅｗａｙ  Ｇｅｎｅｒａｌ  ｐａｃｋｅｔ  ｒａｄｉｏ  ｓｅｒｖｉｃｅ  Ｓｕｐｐｏｒｔ  Ｎｏｄｅ）の統合ノードである。
また、ＬＴＥ網１３０を構成するネットワーク装置として、ｅＮｏｄｅＢ１３１と、ＭＭＥ１３２とがある。
ｅＮｏｄｅＢ１３１は、ＬＴＥ網１３０側のネットワーク基地局であり、ＭＴ１５０と無線によって接続される。
ＭＭＥ１３２は、移動するＭＴ１５０のモビリティ（移動）管理や、ＮｏｄｅＢ１２１とｘＧＳＮ１２３との間で制御信号やユーザーデータを送受信するために必要な制御等を行う。
【００３１】
さらに、３Ｇ網１２０とＬＴＥ網１３０とで共通のネットワーク装置として、ＬＣＳ  Ｃｌｉｅｎｔ（Ｌｏｃａｔｉｏｎ  Ｓｅｒｖｉｃｅ  Ｃｌｉｅｎｔ）１４１と、ＧＭＬＣ（Ｇａｔｅｗａｙ  Ｍｏｂｉｌｅ  Ｌｏｃａｔｉｏｎ  Ｃｅｎｔｅｒ（ＥＢＳＣＰ；Ｅｘｔｅｒｎａｌ  Ｂｕｓｉｎｅｓｓ  Ｕｓｅｒ  Ｓｅｒｖｉｃｅ  Ｃｏｎｔｒｏｌ  Ｐｏｉｎｔ））４２と、ＩＰＳＣＰ（ＩＰ  Ｓｅｒｖｉｃｅ  Ｃｏｎｔｒｏｌ  Ｐｏｉｎｔ）４３と、Ｅ−ＳＭＬＣ（Ｅｖｏｌｖｅｄ  Ｓｅｒｖｉｎｇ  Ｍｏｂｉｌｅ  Ｌｏｃａｔｉｏｎ  Ｃｅｎｔｅｒ）１４４とがある。
【００３２】
ＬＣＳ  Ｃｌｉｅｎｔ１４１は、移動するＭＴ１５０の現在位置を通知する機能を提供するための装置である。
ＧＭＬＣ（ＥＢＳＣＰ）４２は、測位されたＭＴ１５０の緯度経度情報を他の装置に提供する際のゲートウェイ装置である。
ＩＰＳＣＰ４３は、ＩＰサービス制御装置であり、図示しないがＮＭＳＣＰ（Ｎｅｗ  Ｍｏｂｉｌｅ  Ｓｅｒｖｉｃｅ  Ｃｏｎｔｒｏｌ  Ｐｏｉｎｔ）と合わせて、契約情報を管理したり、ユーザーにサービスを提供することを制御したりする。
【００３３】
Ｅ−ＳＭＬＣ１４４は、測位処理を行うサーバー（測位サーバー）装置である。
上記のＩＰＳＣＰ４３は、ＩＰＳＣＰ１４３が備える一般的な機能部に加えて、基地局測位要求先決定装置６０を備える。また、上記のＧＭＬＣ（ＥＢＳＣＰ）４２も、ＧＭＬＣ（ＥＢＳＣＰ）１４２が備える機能部に加えて、基地局測位要求先決定装置８０を備える。
【００３４】
基地局測位要求先決定装置６０，８０は、上記のＮｏｄｅＢ１２１やｅＮｏｄｅＢ１３１に対して測位要求する際に、各網に対する重み付け情報Ａ〜Ｄに基づいて、測位要求を送信する先の網である測位要求送信先網を決定する基地局測位要求先決定処理を行う。なお、無線通信ネットワークシステム１０における測位要求送信先網は、３Ｇ網１２０又はＬＴＥ網１３０の２つの網であるが、勿論３つ以上であっても良い。また、基地局測位要求先決定装置６０，８０は、基地局測位要求先決定処理により決定した測位要求送信先網に対して実際に測位要求を行った際の基地局測位結果や成功率等に基づいて、重み付け情報Ａ〜Ｄを更新するための重み付け情報更新処理を行う。
【００３５】
つまり、上記の機能を実現するための機能部が、ＩＰＳＣＰ４３が有する基地局測位要求先決定装置６０と、ＧＭＬＣ（ＥＢＳＣＰ）４２が有する基地局測位要求先決定装置８０とに分けて設けられている。この後詳細に説明するが、ＩＰＳＣＰ４３が有する基地局測位要求先決定装置６０側で、各網に対する重み付け情報Ａ〜Ｄを管理する。一方のＧＭＬＣ（ＥＢＳＣＰ）４２が有する基地局測位要求先決定装置８０側で、基地局測位要求先決定装置６０側で管理されている各網に対する重み付け情報Ａ〜Ｄに基づいて実際に測位要求送信先網を決定したり、基地局測位要求先決定装置６０側で管理されている各網に対する重み付け情報Ａ〜Ｄを更新したりする処理を行うことができるようになっている。
【００３６】
（ＩＰＳＣＰ４３の装置構成）
続いて、図２〜図６を参照して、本発明の実施形態に係る無線通信ネットワークシステム１０を構成するＩＰＳＣＰ４３の具体的な機能構成を説明する。
まず、図２は、ＩＰＳＣＰ４３の機能構成を示すブロック図である。この図２に示すＩＰＳＣＰ４３は、制御信号送受信部７１と、在圏情報記憶部７２と、ユーザー毎重み付け情報記憶部７３−１と、基地局エリア毎重み付け情報記憶部７３−２と、在圏情報取得処理部７４と、在圏情報更新処理部７５と、重み付け情報取得処理部７６と、更新重み付け情報算出部７７とを備えて構成される。なお、図２中に点線で囲む機能部は、基地局測位要求先決定装置６０が備えている機能部である。
【００３７】
制御信号送受信部７１は、無線通信ネットワークシステム１０を構成する各装置との間でユーザーデータを送受信したり、様々なユーザーサービスを提供する際に必要な制御信号を送受信したりする。基地局測位を行うために必要な制御信号を送受信するのも、この制御信号送受信部７１の役割である。
在圏情報記憶部７２は、在圏情報テーブル７２Ｔを有している。図３は、その在圏情報テーブル７２Ｔに登録されているデータ例を示す表である。図３に示す在圏情報テーブル７２Ｔには、まず、３Ｇ網１２０側の在圏情報である３Ｇ網在圏情報としてＳＧＳＮ在圏情報と、ＬＴＥ網１３０側の在圏情報であるＬＴＥ網在圏情報としてＭＭＥ在圏情報との２つの在圏情報が登録されている。さらに、在圏情報テーブル７２Ｔには、加入者情報（ＭＳＩＳＤＮ；Ｍｏｂｉｌｅ  Ｓｕｂｓｃｒｉｂｅｒ  Ｉｎｔｅｇｒａｔｅｄ  Ｓｅｒｖｉｃｅｓ  Ｄｉｇｉｔａｌ  Ｎｅｔｗｏｒｋ  Ｎｕｍｂｅｒ）が登録されている。なお、在圏情報テーブル７２Ｔに上記の在圏情報と加入者情報とを登録する際、在圏情報と加入者情報とを対応付けて登録する。
【００３８】
上記のＳＧＳＮ在圏情報（３Ｇ網在圏情報）とは、３Ｇ網１２０におけるＭＴ１５０が在圏している基地局エリアを一意に特定するための識別子であり、ＭＭＥ在圏情報（ＬＴＥ網在圏情報）とは、ＬＴＥ網１３０におけるＭＴ１５０が在圏している基地局エリアを一意に特定するための識別子である。また、加入者情報は、加入者（ユーザー）を一意に特定するための識別子である。
【００３９】
なお、在圏情報テーブル７２Ｔには、上述した通り、ＩＳＲ機能により３Ｇ網１２０とＬＴＥ網１３０との両方の在圏情報が登録されていることが多い。例えば、在圏情報テーブル７２Ｔの１レコード目の加入者情報「４６８０４００２３１２」から特定することのできるユーザーは、３Ｇ網１２０の「００１」から特定することのできる基地局エリアか、ＬＴＥ網１２０により「００１」で特定することのできる基地局エリアかのいずれかに在圏している可能性がある。
【００４０】
ユーザー毎重み付け情報記憶部７３−１は、３Ｇ／ＬＴＥ網共用テーブル７３Ｔａを有している。まず、図４は、その３Ｇ／ＬＴＥ網共用テーブル７３Ｔａに登録されているデータ例を示す表である。なお、図４に示す３Ｇ／ＬＴＥ網共用テーブル７３Ｔａと図３に示した在圏情報テーブル７２Ｔとは、リレーショナルシップであり、加入者情報をキーにして互いに紐付けられている。
そして、３Ｇ／ＬＴＥ網共用テーブル７３Ｔａには、加入者情報と、その加入者情報から特定することのできるユーザー毎に管理される３Ｇ網１２０に対する重み付け情報Ａと、ユーザー毎に管理されるＬＴＥ網１３０に対する重み付け情報Ｂとが、対応付けられて登録されている。
【００４１】
また、基地局エリア毎重み付け情報記憶部７３−２は、３Ｇ網用テーブル７３Ｔｂと、ＬＴＥ網用テーブル７３Ｔｃとの２つのテーブルを有している。まず、図５は、その３Ｇ網用テーブル７３Ｔｂに登録されているデータ例を示す表である。なお、図５に示す３Ｇ網用テーブル７３Ｔｂと図３に示した在圏情報テーブル７２Ｔとは、リレーショナルシップであり、ＳＧＳＮ在圏情報をキーにして互いに紐付けられている。
【００４２】
そして、３Ｇ網用テーブル７３Ｔｂには、ＳＧＳＮ在圏情報と、そのＳＧＳＮ在圏情報から特定することのできる基地局エリア毎に管理される３Ｇ網１２０に対する重み付け情報Ｃとが対応付けられて登録されている。また、重み付け情報Ｃを基にして基地局測位要求先決定処理を行い、測位要求を行った際の成功率についても、ＳＧＳＮ在圏情報と合わせて登録されていても良い。
【００４３】
一例であるが、基地局測位要求先決定処理により在圏している基地局エリアが３Ｇ網１２０であると１００回判定されたとする。このとき、実際に３Ｇ網１２０に対して測位要求を行って、測位処理が２０回成功し、残り８０回失敗したとする。すると、成功率は「２０％」である。
一方、図６は、ＬＴＥ網用テーブル７３Ｔｃに登録されているデータ例を示す表である。なお、図６に示すＬＴＥ網用テーブル７３Ｔｃと在圏情報テーブル７２Ｔともリレーショナルシップであり、ＭＭＥ在圏情報をキーにして紐付けられている。
【００４４】
そして、ＬＴＥ網用テーブル７３Ｔｃには、ＭＭＥ在圏情報と、そのＭＭＥ在圏情報から特定することのできる基地局エリア毎に管理されるＬＴＥ網１３０に対する重み付け情報Ｄとが、対応付けられて登録されている。また、重み付け情報Ｄを基にして基地局測位要求先決定処理を行い、測位要求を行った際の成功率についても、ＭＭＥ在圏情報と対応付けられて登録されている。
【００４５】
在圏情報取得処理部７４は、任意のユーザーの３Ｇ網１２０又はＬＴＥ網１３０の在圏している基地局エリアを取得するように他の装置から要求があった場合に、上記の在圏情報記憶部７２の在圏情報テーブル７２Ｔから、加入者情報から特定することのできるＳＧＳＮ在圏情報又はＭＭＥ在圏情報を在圏情報として取得する。なお、上記で説明したように、ＭＴ５０側でＩＳＲ機能が有効状態である場合には、在圏情報テーブル７２ＴにＳＧＳＮ在圏情報とＭＭＥ在圏情報との両方の在圏情報に登録されている可能性が高い。この場合、在圏情報取得処理部７４は、上記の在圏情報記憶部７２の在圏情報テーブル７２Ｔから、ＳＧＳＮ在圏情報とＭＭＥ在圏情報との両方の在圏情報を取得することができる。
【００４６】
在圏情報更新処理部７５は、任意のユーザーの３Ｇ網１２０又はＬＴＥ網１３０の在圏している基地局エリアを更新するように他の装置から要求があった場合に、上記の在圏情報記憶部７２の在圏情報テーブル７２Ｔに、加入者情報に対応付けてＳＧＳＮ在圏情報又はＭＭＥ在圏情報を登録する。
重み付け情報取得処理部７６は、上記のユーザー毎重み付け情報記憶部７３−１の３Ｇ／ＬＴＥ網共用テーブル７３Ｔａから、ユーザー毎に管理される３Ｇ網１２０に対する重み付け情報Ａと、ユーザー毎に管理されるＬＴＥ網１３０に対する重み付け情報Ｂとの２つの重み付け情報を取得する。さらに、重み付け情報取得処理部７６は、基地局エリア毎重み付け情報記憶部７３−２が有する３Ｇ網用テーブル７３Ｔｂから、基地局エリア毎に管理される３Ｇ網１２０に対する重み付け情報Ｃと、ＬＴＥ網用テーブル７３Ｔｃから、基地局エリア毎に管理されるＬＴＥ網１３０に対する重み付け情報Ｄとの２つの重み付け情報を取得する。
【００４７】
更新重み付け情報算出部７７は、ＧＭＬＣ（ＥＢＳＣＰ）４２から、ＧＭＬＣ（ＥＢＳＣＰ）４２において、上記各網に対する重み付け情報Ａ〜Ｄを基づいて基地局測位要求先決定処理を行い、実際に測位要求を行った際の基地局測位結果や成功率等に基づいて新たに算出された重み付け情報Ａ〜Ｄを受信する。そして、更新重み付け情報算出部７７は、３Ｇ網用テーブル７３Ｔｂ及びＬＴＥ網用テーブル７３Ｔｃの重み付け情報Ａ〜Ｄを、新たに算出された重み付け情報Ａ〜Ｄに更新する。
上記で説明したように、ＩＰＳＣＰ４３が有する基地局測位要求先決定装置６０では、３Ｇ網１２０に対する重み付け情報Ａ，ＣとＬＴＥ網１３０に対する重み付け情報Ｂ，Ｄとを、ユーザー毎に管理していると共に、基地局エリア毎に管理している。
（ＧＭＬＣ（ＥＢＳＣＰ）４２の装置構成）
【００４８】
続いて、図７を参照して、本発明の実施形態に係る無線通信ネットワークシステム１０を構成するＧＭＬＣ（ＥＢＳＣＰ）４２の具体的な機能構成を説明する。
図７は、ＧＭＬＣ（ＥＢＳＣＰ）４２の機能構成を示すブロック図である。この図７に示すＧＭＬＣ（ＥＢＳＣＰ）４２は、制御信号送受信部９１と、測位要求処理部９２と、基地局測位要求先決定部９３と、総合重み付け情報算出部９４と、更新重み付け情報算出部９５とを備えて構成される。なお、図７中に点線で囲む機能部は、基地局測位要求先決定装置８０が備えている機能部である。
【００４９】
制御信号送受信部９１は、上記で説明した制御信号送受信部７１と同様に、無線通信ネットワークシステム１０を構成する各装置との間でユーザーデータを送受信したり、様々なユーザーサービスを提供する際に必要な制御信号を送受信したりする。
測位要求処理部９２は、ＬＣＳ  Ｃｌｉｅｎｔ１４１から基地局測位を行うように要求があった場合に、ＩＰＳＣＰ４３から、ＳＧＳＮ在圏情報、ＭＭＥ在圏情報、３Ｇ網１２０に対する重み付け情報Ａ，Ｃ、及びＬＴＥ網１３０に対する重み付け情報Ｂ，Ｄを取得する。そして、測位要求処理部９２は、それらの情報に基づいて、３Ｇ網１２０又はＬＴＥ網１３０に対して基地局測位要求を行う。
【００５０】
基地局測位要求先決定部９３は、測位要求処理部９２によりＳＧＳＮ在圏情報とＭＭＥ在圏情報との両方の在圏情報が取得された場合に、測位要求処理部９２により取得された重み付け情報Ａ〜Ｄに基づいて、実際に基地局測位要求を送信する網である測位要求送信先網を決定する基地局測位要求先決定処理を行う。
【００５１】
上述したように、ＭＴ５０側でＩＳＲ機能が無効状態である場合には、ＩＰＳＣＰ４３にＳＧＳＮ在圏情報とＭＭＥ在圏情報との在圏情報の２つの在圏情報のうち、いずれか一方の在圏情報が登録されている。この場合、基地局測位要求先決定部９３は、測位要求送信先網を、取得した在圏情報で特定される網に決定することができる。しかしながら、ＭＴ５０側でＩＳＲ機能が有効状態である場合には、ＩＰＳＣＰ４３にＳＧＳＮ在圏情報とＭＭＥ在圏情報との両方の在圏情報に登録されている可能性が高い。このような場合、基地局測位要求先決定部９３は、測位要求送信先網を、背景技術で説明したように事前に設定されている網に決定せずに、重み付け情報Ａ〜Ｄに基づいて決定された網に決定する。なお、これらの基地局測位要求先決定処理の具体的な処理の流れについては、この後詳細に説明する。
【００５２】
総合重み付け情報算出部９４は、基地局測位要求先決定部９３から指示を受けて、ユーザー毎に管理される３Ｇ網１２０に対する重み付け情報Ａとユーザー毎に管理されるＬＴＥ網１３０に対する重み付け情報Ｂとを乗算し、その積を３Ｇ網１２０に対する総合重み付け情報Ｘとして算出する。同様に、総合重み付け情報算出部９４は、基地局測位要求先決定部９３から指示を受けて、基地局エリア毎に管理される３Ｇ網１２０に対する重み付け情報Ｃと、基地局エリア毎のＬＴＥ網１３０対する重み付け情報Ｄとを乗算し、その積をＬＴＥ網１３０に対する総合重み付け情報Ｙとして算出する。
【００５３】
なお、上記の総合重み付け情報は、ユーザー毎に管理される各網に対する重み付け情報と、基地局エリア毎に管理される各網に対する重み付け情報とのうちの少なくとも一方の重み付け情報が含まれていれば良い。従って、総合重み付け情報は、２つの重み付け情報どうしを乗算した積であったり、少なくとも一方の重み付け情報に別の情報を組み合わせて算出した値であったりしても良い。これにより、基地局測位要求先決定部９３は、単に重み付け情報だけで測位要求送信先網を決定したより、よりユーザーが在圏している可能性が高い測位要求送信先網を決定することができる。
【００５４】
更新重み付け情報算出部９５は、上記の各重み付け情報Ａ〜Ｄ（各総合重み付け情報Ｘ，Ｙ）を基にして基地局測位要求先決定処理を行い、実際に測位要求を行った際の成功率等に基づいて、新たな重み付け情報Ａ〜Ｄを算出する。
つまり、ＧＭＬＣ（ＥＢＳＣＰ）４２は、ＩＰＳＣＰ４３から、ＳＧＳＮ在圏情報とＭＭＥ在圏情報との在圏情報の２つの在圏情報のうち、いずれか一方の在圏情報を取得した場合には、基地局測位要求先決定部９３が、測位要求送信先網を、取得した在圏情報で特定される網に決定する。一方、ＧＭＬＣ（ＥＢＳＣＰ）４２は、ＩＰＳＣＰ４３から、ＳＧＳＮ在圏情報とＭＭＥ在圏情報との在圏情報の両方の在圏情報を取得した場合には、基地局測位要求先決定部９３が、重み付け情報Ａ〜Ｄに基づいて測位要求送信先網を決定する。そして、測位要求処理部９２は、基地局測位要求先決定部９３により決定された測位要求送信先網に対して、基地局測位要求を行う。
上記で説明したように、ＧＭＬＣ（ＥＢＳＣＰ）４２が有する基地局測位要求先決定装置８０では、基地局測位要求先決定装置６０側で管理されている各網に対する重み付け情報Ａ〜Ｄに基づいて、実際に測位要求送信先網を決定する処理を行う。
【００５５】
（基地局測位要求処理の全体の処理の流れ）
では、図８〜図１０を参照して、基地局測位要求先決定装置６０，８０を用いて構成された無線通信ネットワークシステム１０における基地局測位要求処理の全体の処理の流れを説明する。
図８〜図１０は、基地局測位要求先決定装置６０，８０を用いて構成された無線通信ネットワークシステム１０における基地局測位要求処理の全体の処理の流れを示すシーケンス図である。なお、図８〜図１０に示すシーケンス図では、図１で説明した無線通信ネットワークシステム１０を構成する各装置のうち、主要な処理を説明するために必要な装置だけを記載している。
【００５６】
まず、図８に示すように、まず、ＬＣＳ  Ｃｌｉｅｎｔ１４１は、ＧＭＬＣ（ＥＢＳＣＰ）４２に対して、基地局測位要求信号を送信する（ステップＳ１０１）。
すると、ＧＭＬＣ（ＥＢＳＣＰ）４２は、基地局測位要求を行うために必要な情報を取得するために、ＩＰＳＣＰ４３に対して、基地局測位要求信号を送信する（ステップＳ１０２）。ＩＰＳＣＰ４３は、ＧＭＬＣ（ＥＢＳＣＰ）４２に対して、在圏情報及び重み付け情報Ａ〜Ｄを送信する（ステップＳ１０３）。
【００５７】
ＧＭＬＣ（ＥＢＳＣＰ）４２は、基地局測位要求を送信する先の網を決定するために基地局測位要求先決定処理を行う（ステップＳ１０４）。なお、このステップＳ１０４の基地局測位要求先決定処理の具体的な流れについては、この後詳細に説明する。
この基地局測位要求先決定処理により決定された最初（１度目）の測位要求送信先網が３Ｇ網１２０である場合には（ステップＳ１０５のＹＥＳ）、ＧＭＬＣ（ＥＢＳＣＰ）４２は、図８中に破線Ｆ１内に示すステップＳ１０６〜Ｓ１１２の各処理を行う。一方、基地局測位要求先決定処理により決定された最初（１度目）の測位要求送信先網がＬＴＥ網１３０である場合には（ステップＳ１０５のＮＯ）、ＧＭＬＣ（ＥＢＳＣＰ）４２は、図８中に破線Ｆ２内に示すステップＳ１１３〜Ｓ１１７の各処理を行う。
【００５８】
なお、３Ｇ網１２０とＬＴＥ網１３０とでは、３Ｇ網１２０におけるＮｏｄｅＢ１２１、ＲＮＣ１２２及びｘＧＳＮ１２３の各装置が、ＬＴＥ網１３０におけるｅＮｏｄｅＢ１３１及びＭＭＥ１３２の各装置に対応している。従って、測位要求送信先網が３Ｇ網１２０であった場合の処理と、測位要求送信先網がＬＴＥ網１３０であった場合の処理とは実質同じである。２つの処理のうち、一例として、基地局測位要求先決定処理により決定された測位要求送信先網が３Ｇ網１２０であった場合の処理を説明する。
【００５９】
まず、ＧＭＬＣ（ＥＢＳＣＰ）４２は、ｘＧＳＮ１２３に対して、基地局測位要求信号を送信する（ステップＳ１０６）。さらに、ｘＧＳＮ１２３は、ＲＮＣ１２２に対して、基地局測位要求信号を送信する（ステップＳ１０７）。また、ＲＮＣ１２２は、ＮｏｄｅＢ１２１に対して、基地局測位要求信号を送信する（ステップＳ１０８）。すると、ＮｏｄｅＢ１２１とＭＴ５０とは、ＮｏｄｅＢ１２１とＭＴ５０との間で基地局測位処理を行う（ステップＳ１０９）。
【００６０】
基地局測位処理が終了すると、ＮｏｄｅＢ１２１は、ＲＮＣ１２２に対して、緯度経度情報や基地局測位処理が成功したか、失敗したかを示す基地局測位結果信号を送信する（ステップＳ１１０）。また、ＲＮＣ１２２は、ｘＧＳＮ１２３に対して、基地局測位結果信号を送信する（ステップＳ１１１）。さらに、ｘＧＳＮ１２３は、ＧＭＬＣ（ＥＢＳＣＰ）４２に対して、基地局測位結果信号を送信する（ステップＳ１１２）。
【００６１】
これに続いて、図９に示すように、ＧＭＬＣ（ＥＢＳＣＰ）４２は、最初（１度目）の基地局測位だけで、基地局測位結果が成功であった場合には（ステップＳ２０１のＹＥＳ）、在圏情報と重み付け情報Ａ〜Ｄを更新するための重み付け情報更新処理を行う（ステップＳ２１５）。
一方、ＧＭＬＣ（ＥＢＳＣＰ）４２は、基地局測位結果が成功でなく、基地局測位結果が測位エラーや無応答等により失敗であった場合には（ステップＳ２０１のＮＯ）、ステップＳ１０４の基地局測位要求先決定処理により決定された測位要求送信先網とは別の網に対して、基地局測位要求を送信する。
【００６２】
ステップＳ１０４の基地局測位要求先決定処理により決定された最初（１度目）の測位要求送信先網が３Ｇ網１２０であった場合には（ステップＳ２０２のＹＥＳ）、２度目の測位要求送信先網はＬＴＥ網１３０となる。このため、ＧＭＬＣ（ＥＢＳＣＰ）４２は、図９中に破線Ｆ３内に示すステップＳ２０３〜Ｓ２０７の各処理を行う。一方、ステップＳ１０４の基地局測位要求先決定処理により決定された最初（１度目）の測位要求送信先網がＬＴＥ網１３０であった場合には（ステップＳ２０２のＮＯ）、２度目の測位要求送信先網は３Ｇ網１２０となる。このため、ＧＭＬＣ（ＥＢＳＣＰ）４２は、図９中に破線Ｆ４内に示すステップＳ２０８〜Ｓ２１４の各処理を行う。図９中に破線Ｆ３，Ｆ４内に示す各処理は、上記で説明した図８中に破線Ｆ２，Ｆ１内に示す各処理と実質同じであるため、説明を省略する。
【００６３】
そして、破線Ｆ３，Ｆ４内に示す各処理を実行した後に、ＧＭＬＣ（ＥＢＳＣＰ）４２は、３Ｇ網１２０又はＬＴＥ網１３０の装置から基地局測位結果信号を受け取る（ステップＳ２０７又はステップＳ２１４）。
これに続いて、図１０に示すように、ＧＭＬＣ（ＥＢＳＣＰ）４２は、最終的に、基地局測位結果が成功であった場合には（ステップＳ２１５のＹＥＳ）、重み付け情報を更新するための重み付け情報更新処理を行う（ステップＳ２１６）。なお、このステップＳ２１６の重み付け情報更新処理の具体的な流れについては、この後詳細に説明する。
【００６４】
最後に、ＧＭＬＣ（ＥＢＳＣＰ）４２は、ＩＰＳＣＰ４３に対して、在圏情報に合わせて、重み付け情報更新処理により算出された新たな重み付け情報を送信する（ステップＳ２１７）。さらに、ＧＭＬＣ（ＥＢＳＣＰ）４２は、基地局測位を要求した大元の装置であるＬＣＳ  Ｃｌｉｅｎｔ１４１に対して、測位されたＭＴ１５０の緯度経度情報等を含む基地局測位結果信号を送信すると（ステップＳ２１８）、基地局測位要求処理の全ての処理が終了する。
【００６５】
一方、ＧＭＬＣ（ＥＢＳＣＰ）４２は、最終的に、基地局測位結果が成功でなく、基地局測位結果が失敗であった場合には（ステップＳ２１５のＮＯ）、重み付け情報を更新するための重み付け情報更新処理を行う必要がない。このため、ＧＭＬＣ（ＥＢＳＣＰ）４２は、基地局測位を要求した大元の装置であるＬＣＳ  Ｃｌｉｅｎｔ１４１に対して、基地局測位処理が失敗であったことを含む基地局測位結果信号を送信すると（ステップＳ２１８）、基地局測位要求処理の全ての処理が終了する。
【００６６】
（基地局測位要求先決定処理の流れ）
最後に、図１１を参照して、ＧＭＬＣ（ＥＢＳＣＰ）４２が行う基地局測位要求先決定処理の流れについて、具体的に説明する。
図１１は、ＧＭＬＣ（ＥＢＳＣＰ）４２が行う基地局測位要求先決定処理の流れを示すフローチャートである。図１１に示すように、基地局測位要求先決定部９３は、ＩＰＳＣＰ４３の在圏情報記憶部７２に登録されている在圏情報と、ユーザー毎重み付け情報記憶部７３−１及び基地局エリア毎重み付け情報記憶部７３−２に登録されている各網に対する重み付け情報Ａ〜Ｄとを取得する（ステップＳ３０１）。
【００６７】
そして、測位要求処理部９２は、ＩＰＳＣＰ４３から、ＳＧＳＮ在圏情報とＭＭＥ在圏情報との２つの在圏情報のうち、いずれか一方の在圏情報を取得し（ステップＳ３０２のＮＯ）、その在圏情報が３Ｇ網１２０のＳＧＳＮ在圏情報である場合には（ステップＳ３０３のＹＥＳ）、基地局測位要求先決定部９３は、測位要求送信先網を３Ｇ網１２０に決定する（ステップＳ３０４）。一方、在圏情報が３Ｇ網１２０のＳＧＳＮ在圏情報ではなく、在圏情報がＬＴＥ網１３０のＭＭＥ在圏情報である場合には（ステップＳ３０３のＮＯ）、基地局測位要求先決定部９３は、測位要求送信先網をＬＴＥ網１３０に決定する（ステップＳ３０５）。
【００６８】
また、測位要求処理部９２は、ＩＰＳＣＰ４３から、ＳＧＳＮ在圏情報とＭＭＥ在圏情報との両方の在圏情報を取得した場合（ステップＳ３０２のＹＥＳ）、測位要求処理部９２は、総合重み付け情報算出部９４に対して、３Ｇ網１２０に対する総合重み付け情報Ｘを算出させる。総合重み付け情報算出部９４は、ユーザー毎に管理される３Ｇ網１２０に対する重み付け情報Ａと、ユーザー毎に管理されるＬＴＥ網１３０に対する重み付け情報Ｂとを乗算して、総合重み付け情報Ｘを算出する。
【００６９】
同様に、基地局測位要求先決定部９３は、総合重み付け情報算出部９４に対して、ＬＴＥ網１３０に対する総合重み付け情報Ｙを算出させる。総合重み付け情報算出部９４は、基地局エリア毎に管理される３Ｇ網１２０に対する重み付け情報Ｃと、基地局エリア毎のＬＴＥ網１３０対する重み付け情報Ｄとを乗算して、総合重み付け情報Ｙを算出する（ステップＳ３０６）。
【００７０】
続いて、基地局測位要求先決定部９３は、３Ｇ網１２０に対する総合重み付け情報Ｘと、ＬＴＥ網１３０に対する総合重み付け情報Ｙとを比較する。そして、３Ｇ網１２０に対する総合重み付け情報Ｘが、ＬＴＥ網１３０に対する総合重み付け情報Ｙよりも大きければ（ステップＳ３０７のＹＥＳ）、基地局測位要求先決定部９３は、測位要求送信先網を３Ｇ網１２０に決定する（ステップＳ３０８）。一方、３Ｇ網１２０に対する総合重み付け情報Ｘが、ＬＴＥ網１３０に対する総合重み付け情報Ｙよりも大きくなければ（ステップＳ３０７のＮＯ）、基地局測位要求先決定部９３は、測位要求送信先網をＬＴＥ網１３０に決定する（ステップＳ３０９）。
最後に、上記で説明したステップＳ１０６又はステップＳ１１１の処理によって、ＧＭＬＣ（ＥＢＳＣＰ）４２は、上記の基地局測位要求先決定処理により決定された測位要求送信先網に対して基地局測位要求を行う。
【００７１】
（重み付け情報更新処理の流れ）
続いて、図１２を参照して、基地局測位が行われた後に、ＧＭＬＣ（ＥＢＳＣＰ）４２が行う重み付け情報更新処理の流れについて、具体的に説明する。
図１２は、ＧＭＬＣ（ＥＢＳＣＰ）４２が行う重み付け情報更新処理の流れを示すフローチャートである。図１２に示すように、まず、更新重み付け情報算出部９５は、測位要求処理部９２により受信された基地局測位結果を参照する（ステップＳ４０１）。
【００７２】
最終的に、基地局測位処理が３Ｇ網１２０で成功した場合には（ステップＳ４０２のＹＥＳ）、更新重み付け情報算出部９５は、ユーザー毎重み付け情報記憶部７３−１に登録されているユーザー毎に管理される３Ｇ網１２０に対する重み付け情報Ａ（基地局測位処理が成功した網に対する重み付け情報）が、現在の値よりも高くなるような重み付け情報Ａを算出する。これに対して、更新重み付け情報算出部９５は、ユーザー毎重み付け情報記憶部７３−１に登録されているユーザー毎に管理されるＬＴＥ網１３０に対する重み付け情報Ｂ（基地局測位処理が成功した網以外の網に対する重み付け情報）が、現在の値よりも低くなるような重み付け情報Ｂを算出する（ステップＳ４０３）。
【００７３】
ここで、各重み付け情報を更新するために、元の重み付け情報に加算する値は、時間帯やサービスの種類に応じて任意に設定することができる。一例ではあるが、元の重み付け情報が「１．０」であれば、「０．１」を加算して、「１．１」にする。また、これに合わせて、成功率も更新する。これにより、基地局測位要求先決定部９３は、同じ在圏エリアにユーザーであっても、測位要求送信先網をユーザー毎に、そのユーザーが最も在圏している可能性の高い網に決定することができる。同時に、基地局測位要求先決定部９３は、測位要求送信先網を、ユーザーが最も在圏している可能性の低い網に決定しないようにすることができる。
【００７４】
さらに、更新重み付け情報算出部９５は、基地局エリア毎重み付け情報記憶部７３−２に登録されている基地局エリア毎に管理される３Ｇ網１２０に対する重み付け情報Ｃ（基地局測位処理が成功した網に対する重み付け情報）が、現在の値よりも高くなるように新たな重み付け情報Ｃを算出する（ステップＳ４０４）。これにより、基地局測位要求先決定部９３は、同じユーザーであっても、測位要求送信先網を基地局エリア毎に、ユーザーが在圏している可能性が高い網に決定することができる。
【００７５】
なお、最初の基地局測位処理における基地局測位結果が失敗であったため、ＧＭＬＣ（ＥＢＳＣＰ）４２が、３Ｇ網１２０の他にＬＴＥ網１３０に対しても基地局測位要求を再送信している場合には（ステップＳ４０５のＹＥＳ）、網更新重み付け情報算出部９５は、基地局エリア毎重み付け情報記憶部７３−２に登録されている基地局エリア毎に管理されるＬＴＥ網１３０に対する重み付け情報Ｄ（基地局測位処理が成功した網以外の網に対する重み付け情報）が、現在の値よりも低くなるように新たな重み付け情報Ｄを算出する（ステップＳ４０６）。これで、重み付け情報更新処理の全ての処理が終了する。これにより、基地局測位要求先決定部９３は、同じユーザーであっても、基地局エリア毎に、ユーザーがあまり在圏していない網を測位要求送信先網として決定しないようにすることができる。
【００７６】
また、最初の基地局測位処理における基地局測位結果が成功であったため、ＧＭＬＣ（ＥＢＳＣＰ）４２が、ＬＴＥ網１３０に対しては基地局測位要求を送信していない場合には（ステップＳ４０５のＮＯ）、網更新重み付け情報算出部９５は、新たな重み付け情報Ｄを算出する必要がない。これで、重み付け情報更新処理の全ての処理が終了する。
一方、ステップＳ４０２において、基地局測位処理が３Ｇ網１２０でなく、ＬＴＥ網１３０で成功した場合について説明する（ステップＳ４０２のＮＯ）。この場合には、各網に対する重み付け情報の更新の仕方が、上記で説明した基地局測位処理が３Ｇ網１２０で成功した場合と逆になる。
【００７７】
まず、更新重み付け情報算出部９５は、ユーザー毎重み付け情報記憶部７３−１に登録されているユーザー毎に管理される３Ｇ網１２０に対する重み付け情報Ａ（基地局測位処理が成功した網に対する重み付け情報）が、現在の値よりも低くなるように新たな重み付け情報Ａを算出する。これに対して、更新重み付け情報算出部９５は、ユーザー毎に管理されるＬＴＥ網１３０に対する重み付け情報Ｂ（基地局測位処理が成功した網以外の網に対する重み付け情報）が、現在の値よりも高くなるように新たな重み付け情報Ｂを算出する（ステップＳ４０７）。
【００７８】
さらに、更新重み付け情報算出部９５は、基地局エリア毎重み付け情報記憶部７３−２に登録されている基地局エリア毎に管理されるＬＴＥ網１３０に対する重み付け情報Ｄ（基地局測位処理が成功した網に対する重み付け情報）を、現在の値よりも高くなるように新たな重み付け情報Ｄを算出する（ステップＳ４０８）。
【００７９】
なお、最初の基地局測位処理における基地局測位結果が失敗であったため、ＧＭＬＣ（ＥＢＳＣＰ）４２が、ＬＴＥ網１３０の他に３Ｇ網１２０に対しても基地局測位要求を送信している場合には（ステップＳ４０９のＹＥＳ）、網更新重み付け情報算出部９５は、基地局エリア毎重み付け情報記憶部７３−２に登録されている基地局エリア毎に管理される３Ｇ網１２０に対する重み付け情報Ｃ（基地局測位処理が成功した網以外の網に対する重み付け情報）が、現在の値よりも低くなるように新たな重み付け情報Ｃを算出する（ステップＳ４１０）。これで、重み付け情報更新処理の全ての処理が終了する。
【００８０】
また、最初の基地局測位処理における基地局測位結果が成功であったため、ＧＭＬＣ（ＥＢＳＣＰ）４２が、３Ｇ網１２０に対しては基地局測位要求を送信していない場合には（ステップＳ４０９のＮＯ）、網更新重み付け情報算出部９５は、新たな重み付け情報Ｃを算出する必要がない。これで、重み付け情報更新処理の全ての処理が終了する。
最後に、上記で説明したステップＳ２１７の処理ステップにおいて、ＧＭＬＣ（ＥＢＳＣＰ）４２が、ＩＰＳＣＰ４３に対して、更新する在圏情報に合わせて、重み付け情報を送信する。
【００８１】
（実施形態の説明のまとめ）
上記で説明したように、本実施形態に係る基地局測位要求先決定装置を用いて構成される無線通信ネットワークシステム１０においては、基地局測位要求先決定装置６０のユーザー毎重み付け情報記憶部７３−１に、ユーザー毎に管理される３Ｇ網１２０に対する重み付け情報Ａと、ユーザー毎に管理されるＬＴＥ網１３０に対する重み付け情報Ｂとが管理されている。さらに、基地局エリア毎重み付け情報記憶部７３−２に、基地局エリア毎に管理される３Ｇ網１２０に対する重み付け情報Ｃと、基地局エリア毎のＬＴＥ網１３０対する重み付け情報Ｄとが管理されている。
【００８２】
そして、ＧＭＬＣ（ＥＢＳＣＰ）４２は、ＩＰＳＣＰ４３から、ＳＧＳＮ在圏情報とＭＭＥ在圏情報との２つの在圏情報のうち、いずれか一方の在圏情報が取得された場合、基地局測位要求先決定部９３が、測位要求送信先網を、取得した在圏情報で特定される網に決定する。一方、ＧＭＬＣ（ＥＢＳＣＰ）４２は、ＩＰＳＣＰ４３から、ＳＧＳＮ在圏情報とＭＭＥ在圏情報との両方の在圏情報が取得された場合、基地局測位要求先決定部９３が、上記の各網に対する重み付け情報Ａ〜Ｄに基づいて測位要求送信先網を決定する。そして、測位要求処理部９２は、基地局測位要求先決定部９３により決定された測位要求送信先網に対して、基地局測位要求を行う。
【００８３】
つまり、基地局測位要求先決定部９３が、ユーザー毎や基地局エリア毎の通信規格が異なる複数種類の網に対する重み付け情報Ａ〜Ｄに基づいて、測位要求送信先網を、ユーザーが最も在圏している可能性の高い網を測位要求送信先網に決定する。特に、基地局測位要求先決定部９３は、同じユーザーであっても、測位要求送信先網を基地局エリア毎に、ユーザーが最も在圏している可能性の高い網に決定することができる。また、基地局測位要求先決定部９３は、同じ在圏エリアにいるユーザーであっても、測位要求送信先網をユーザー毎に、そのユーザーが最も在圏している可能性の高い網に決定することができる。
【００８４】
これにより、優先網をそのまま測位要求送信先網とする場合と比較して、通信規格が異なる複数種類の網に対して測位要求を再送信することが少なくなる。故に、測位要求を別の網に対して再要求（二重処理）したり、各網を構成する装置が無応答になったことにより処理がタイムアウトするまで待機したりすることが少なくなる。在圏していない網に対して測位要求を送信しない分だけ、基地局測位処理を行うために必要な処理時間を短縮することができる。さらに、在圏していない網を構成する各装置間で余計な信号を送受信しない分だけ、各装置における基地局測位処理の処理負荷を抑えることができる。
また、背景技術で説明したように、ＮｏｄｅＢ１２１とｅＮｏｄｅＢ１３１とが連携し合って、自網に在圏していなければ他網に対して在圏状況を直接問い合わせるような仕組みを用いる必要がない。
【００８５】
（本発明の範囲）
なお、本発明の範囲は、図示され記載された例示的な実施形態に限定されるものではなく、本発明が目的とするものと均等な効果をもたらす全ての実施形態をも含む。さらに、本発明の範囲は、請求項により画される発明の特徴の組み合わせに限定されるものではなく、全ての開示されたそれぞれの特徴のうち特定の特徴のあらゆる所望する組み合わせによって画されうる。
【００８６】
例えば、実施形態で説明した各重み付け情報Ａ〜Ｄや総合重み付け情報Ｘ，Ｙを算出したり、更新したりする処理にあっても、上記で説明したものに限定されない。各重み付け情報を算出したり、更新したりする際に、時間帯やサービスの種類等に応じて、各重み付け情報を変えることもできる。このように各重み付け情報に様々な要素を含ませることにより、さらに、測位要求送信先網を、ユーザーが在圏している可能性の高い網に決定することができるようになる。この他に、各重み付け情報に基づいて、測位要求送信先網を決定する際の処理についても同様に変更することができる。
【産業上の利用可能性】
【００８７】
本発明の基地局測位要求先決定装置は、特に３Ｇ網やＬＴＥ網等の通信規格が異なる複数種類の網が混在する無線通信ネットワークにおいて、ユーザー毎や基地局エリア毎の通信規格が異なる複数種類の網に対する重み付け情報に基づいて測位要求送信先網を決定するために、無線通信ネットワークを構成する各装置に設けることができる。
【符号の説明】
【００８８】
１０……無線通信ネットワークシステム
１２０……３Ｇ網
１３０……ＬＴＥ網
１５０……ＭＴ
１２１……ｅＮｏｄｅＢ
１２２……ＲＮＣ
１２３……ｘＧＳＮ
１３１……ｅＮｏｄｅＢ
１３２……ＭＭＥ
１４１……ＬＣＳ  Ｃｌｉｅｎｔ
４２……ＧＭＬＣ（ＥＢＳＣＰ）
４３……ＩＰＳＣＰ
１４４……Ｅ−ＳＭＬＣ
６０……基地局測位要求先決定装置
７１……制御信号送受信部
７２……在圏情報記憶部
７３−１……ユーザー毎重み付け情報記憶部
７３−２……基地局エリア毎重み付け情報記憶部
７４……在圏情報取得処理部
７５……在圏情報更新処理部
７６……重み付け情報取得処理部
７７……更新重み付け情報算出部
８０……基地局測位要求先決定装置
９１……制御信号送受信部
９２……測位要求処理部
９３……基地局測位要求先決定部
９４……総合重み付け情報算出部
９５……更新重み付け情報算出部
【図１】
0005421419.tif 000002
【図２】
0005421419.tif 000003
【図３】
0005421419.tif 000004
【図４】
0005421419.tif 000005
【図５】
0005421419.tif 000006
【図６】
0005421419.tif 000007
【図７】
0005421419.tif 000008
【図８】
0005421419.tif 000009
【図９】
0005421419.tif 000010
【図１０】
0005421419.tif 000011
【図１１】
0005421419.tif 000012
【図１２】
0005421419.tif 000013
【図１３】
0005421419.tif 000014